(57)【要約】【課題】  安全眼鏡を提供することを目的とする。【解決手段】  本考案の安全眼鏡は、フレームと、当該フレームの両側から延びて使用者が当該眼鏡を掛けることができるようにするテンプルと、それぞれ当該フレームに設置されて当該使用者の両目の位置に対応する両目の眼鏡レンズと、少なくとも片方の眼鏡レンズに設置されて使用者が当該眼鏡レンズから前方を直視でき且つ同時に後方の状況を見ることができるようにする少なくとも1つの反射レンズ又は塗料、を含み、使用者の視角を拡大し、かつ量産しやすい効果を発揮して、事故や災害の発生を避けることができる。【選択図】  図１Ｂ
0003102402.tif 000002
【実用新案登録請求の範囲】
【請求項１】
安全眼鏡であって、
フレームと、
当該フレームの両端から延び、使用者に当該眼鏡を掛けられるようにするためのテンプルと、
それぞれフレームに設置され、使用者の両目の位置に対応することで、当該使用者に前方を見ることができるようにする両方の眼鏡レンズと、
少なくとも片方の眼鏡レンズ上に設置され、使用者に後方の状況をみることができるようにする少なくとも１枚の反射レンズと、
を含む安全眼鏡。
【請求項２】
当該反射レンズは、当該眼鏡レンズ上に粘着されることを特徴とする請求項１記載の安全眼鏡。
【請求項３】
当該反射レンズは、当該眼鏡レンズ上にクリップされ、固定されることを特徴とする請求項１記載の安全眼鏡。
【請求項４】
当該反射レンズは、当該眼鏡レンズ上において使用者の両目の位置に面する表面上に設置されることを特徴とする請求項１記載の安全眼鏡。
【請求項５】
当該反射レンズは、当該眼鏡レンズの周縁に設置されることを特徴とする請求項１記載の安全眼鏡。
【請求項６】
当該反射レンズの表面は、平坦な反射表面であることを特徴とする請求項１記載の安全眼鏡。
【請求項７】
当該眼鏡レンズは、ガラスレンズ又はプラスチックレンズの中からひとつを選択することを特徴とする請求項１記載の安全眼鏡。
【請求項８】
安全眼鏡であって、
フレームと、
当該眼鏡フレームの両端から延び、使用者に当該眼鏡を掛けられるようにするためのテンプルと、
それぞれフレームに設置され、使用者の両目の位置に対応することで、当該使用者に前方を見ることができるようにする両方の眼鏡レンズと、
少なくとも片方の眼鏡レンズ上に塗られ、使用者が後方の状況を見ることができるようにするための少なくとも１つの反射塗料と、
を含む安全眼鏡。
【請求項９】
当該反射塗料は、当該眼鏡レンズ上において使用者の両目の位置に面する表面上に塗られることを特徴とする請求項８記載の安全眼鏡。
【請求項１０】
当該反射塗料は、当該眼鏡レンズの周縁に塗られることを特徴とする請求項８記載の安全眼鏡。
【請求項１１】
当該反射塗料の反射表面は、平坦な表面であることを特徴とする請求項８記載の安全眼鏡。
【請求項１２】
当該眼鏡レンズは、ガラスレンズ又はプラスチックレンズの中からひとつを選択することを特徴とする請求項８記載の安全眼鏡。
【考案の詳細な説明】
【技術分野】
【０００１】
本考案は安全眼鏡に関し、特に眼鏡レンズ上に反射レンズまたは塗料を配置した安全眼鏡に関する。
【背景技術】
【０００２】
一般の人々は、日常生活において、両目の位置及び視角に制限されて、多くは前方の状況しか見ることができず、左右又は後方に対しては、往々にして頭部を動かさなければ見ることはできず、きわめて不便であり、且つ視角の大きさには往々にして個人差があり、また長い時間、神経を使って左右の状況を注視することは不可能である。また、後方の状況に至っては、視角がいかに大きくても頭部を動かさない状況で見ることは難しいため、度々安全上の困難及び危険が発生しており、後方からの窃盗又は交通事故等の状況の発生は避け難い。
【０００３】
自動車又はオートバイ等の左右のサイドミラーにおいては、その目的はドライバーの両目を補助する機能を発揮するためであり、当該ドライバーが頭部を動かさない状況で後方の車両及び交通状況を見ることができるようにしており、前方を直視している状況で、同時に前方及び後方の状況を見ることができる。しかしながら、個人の歩行者にとっては、身体にこの補助工具の助けはない。しかし、起こりうる危険及び脅威は減少するわけではなく、実際に日常の交通上の一大問題となっており、歩行者にとって使用でき且つ簡易で携帯性に優れた補助工具の助けが急務となっている。
【０００４】
また、一般の人々にとって、後方又は左右からの危険要素は交通問題だけでなく、多くの窃盗又は夜間の襲撃事件も被害者の視角が前方に限られていることを利用し、当該被害者の左右又は後方から容易に危害を加えたものであり、被害者が予め反応することができないため、気づきにくく又は反抗しにくく、実際に日常生活における一大危険となっている。
【０００５】
また、視角が小さ過ぎることによる弊害を考慮せず、視角の拡大が一般の人々にもたらす利便性のみを考慮した場合、工具によって人類の視角を拡大する重要性を垣間見ることができる。例えば、日常生活において、距離の計測又は前後の配置の対称性を判断する必要がある場合、頭部を動かさずに計測することができる視角補助工具があれば、無駄を省き及び簡便な効果が得られる。
【０００６】
そのため、いかに多角度の視角を具える視角補助工具を開発し、使用者が容易に各角度の状況を見ることができ、各角度からの突発的なアクシデントを予防することができるようにし、また量産及びコストのニーズを兼ね備えることができるかが、実際に関連分野の研究開発において解決が急がれる課題である。
【考案の開示】
【考案が解決しようとする課題】
【０００７】
本考案は、各角度の状況を見渡すことができる安全眼鏡を提供することを目的とする。
【０００８】
また、本考案は、各角度からの突発的なアクシデントを予防できる安全眼鏡を提供することを目的とする。
【０００９】
また、本考案は、製造が簡単で、量産しやすい安全眼鏡を提供することを目的とする。
【００１０】
更に、本考案は、低コストの安全眼鏡を提供することを目的とする。
【課題を解決するための手段】
【００１１】
前述及びその他の目的を達成するために、本考案の提供する安全眼鏡は、フレームと、当該フレームの両側から延び、使用者が当該眼鏡をかけることができるテンプルと、それぞれ当該フレーム中に設置され、使用者の両目の位置に対応し、当該使用者が前方を直視できるようにする両目の眼鏡レンズと、少なくとも片方の眼鏡レンズに設置され又は塗られ、使用者が後方の状況を見ることができる少なくとも1つの反射レンズ又は反射塗料を含む。
【００１２】
前述の反射レンズは、当該眼鏡レンズに粘着又は固定され、当該反射塗料は反射化学塗料であり、且つそれぞれ当該眼鏡レンズ上において使用者の両目の位置に対応する表面に設置される。その設置位置は、当該眼鏡レンズ上の当該テンプルに近い周縁であり、当該使用者の両目の視野が及ぶ位置である。同時に、当該反射レンズ又は反射塗料は、平坦な反射表面を具え、且つ当該反射表面は当該使用者の真後ろを向いている。
【００１３】
そのため、本考案の示す反射レンズ及び塗料によって、使用者は容易に各角度の状況を見ることができ、各角度からの突発的なアクシデントを予防することができる。同時に、量産及びコストのニーズを兼備し、従来の問題を解決することができる。
【考案の効果】
【００１４】
総体的に述べると、本考案の安全眼鏡は、確実に使用者が物を見る時の視角を広げることができ、様々な突発的な出来事に対する反応時間を増やすことができ、危険の発生を避けることができ、また製造が簡単で及びコストが低い効果を兼ね備えている。
【考案を実施するための最良の形態】
【００１５】
［実施例１］
以下において特定の具体例により本考案の実施方法を説明する。この技術を熟知する人にとっては、本明細書に掲げる内容により、本考案のその他の利点及び効果を容易に理解できる。本考案は、その他の異なる具体的な実施例により、実行又は応用することもでき、本明細書中の各詳細事項もまた異なる観点及び応用に基づいて、本考案の精神から離脱しないもとで、各種の修飾及び変更を行うこともできる。
【００１６】
図１Ａ、図１Ｂに示すのは、本考案の眼鏡１の比較的わかりやすい実施例のイメージ図であり、フレーム１０、テンプル１５及び両目の眼鏡レンズ２０を含む。当該フレーム１０は、使用者の両目の位置に合わせて囲まれた２つのほぼ円形のフレームであり、当該両目の眼鏡レンズ２０を当該フレーム１０に嵌め込み、位置を決める。当該両目の眼鏡レンズ２０は、ガラス又はプラスチックであることができ、また、当該テンプル１５は当該フレーム１０の両端に設置され、且つ当該両端から延伸され、使用者が当該テンプル１５の末端の屈折部１６によって当該眼鏡１を掛けることができるようにし、且つその両目がそれぞれ当該両目の眼鏡レンズ２０を通して、前方の状況を見ることができるようにする。この部分の設計は、従来の眼鏡と類似するため、ここでは特に詳述しない。
【００１７】
本実施例の特徴は、図に示す通りであり、反射レンズ２５を当該両目の眼鏡レンズ２０上の両端のテンプル１５に近い周縁に粘着させ、それを当該眼鏡レンズ２０の弧度に沿って、当該眼鏡レンズ２０の使用者の両目に面する表面２０ａ上に設置する。且つ当該反射レンズ２５の両方の粘着位置は、相互に対称であり、使用者の両目の視野が及ぶ位置に貼ることで、使用者の両目が同一の視角により当該２枚の反射レンズ２５に写る状況を見ることができるようにする。同時に、当該反射レンズ２５の面積は大きすぎないほうがよく、図１Ｂに示すように、その面積の長さＬがその幅Ｗより大きくなるように設計し、当該反射レンズ２５が使用者が前方を直視する際の眼鏡レンズ２０の中央部分を塞ぐことを避けなければならず、且つ当該反射レンズ２５の表面の平坦度も一定の要求を具え、反射及び美観上の要求を兼ね備えなければならない。また、当該反射レンズ２５の面積、形状及び位置は眼鏡１の寸法及び使用者の両目の位置を合わせて考慮する必要がある。また、あらゆる使用者の様々な視角及び輪郭の要求を満たすように、異なるタイプの眼鏡の設計が可能である。当該眼鏡１を掛けた使用者が、最も快適で且つ最も疲れない視角で当該反射レンズ２５中の景色を見ることができるようにしなければならない。
【００１８】
図２は本実施例の側面図であり、図から当該一定の厚さｔを具える反射レンズ２５を見ることができる。但し、材料コスト及び当該眼鏡１の重量を抑えるために、当該厚さｔを厚くしすぎる必要はない。
【００１９】
そのため、使用者は本実施例の眼鏡１を掛けた後、図３に示すように、矢印Ａの方向によって、当該両目の眼鏡レンズ２０上の反射レンズ２５がない部分から前方の状況を見ることができ、また本考案の反射レンズ２５の設計によって、図示する矢印Ｂの方向で、当該反射レンズ２５の反射特性を利用して、頭部を動かさない状態で、当該使用者の後方の状況を直接見ることができ、後方からの突発的なアクシデントを避け、また窃盗又は交通事故等の危険の発生から身を守ることができる。
【００２０】
同時に、本考案が掲げる構造は、使用者の視角を広げる以外に、当該反射レンズ２５の設置方法が極めて簡単で、且つ簡単に量産することができ、眼鏡全体の構造の複雑性を増すこともなく、産業上の製造ニーズを十分に満たすことが可能である。
【００２１】
［実施例２］
本考案は、反射レンズ２５を設置する方式で、眼鏡レンズ２０部分の反射機能を得る以外にも、任意の反射効果を具えるレンズ装置４５を設計することもできる。図４に示す実施例のように、当該レンズ装置４５上にホルダー部材を設置して、当該両方のレンズ装置４５を眼鏡レンズ２０の両側側縁の対称位置にクリップして固定することで、前述の実施例と同じ効果を具える。同時に、この実施例の設計は、使用上の幅を増加させることができ、使用者の使用ニーズに応じて、レンズ装置４５を簡単に装着又は取り外すことができる。例えば室内で当該レンズ装置４５を取り外し、道路上を通行する際には、当該レンズ装置４５を装着するなど、使用者の使用ニーズに更に適合するものである。
【００２２】
また、反射レンズ２５、４５によって本考案の効果を達成する以外にも、本考案は反射化学塗料を当該両目の眼鏡レンズ２０のテンプル１5に近い両端部分に塗って、且つ自然に温度が低下したり、又は急速に低下させる方法により、当該化学塗料を固形化させ、それを当該眼鏡レンズ２０の弧度に沿って、当該眼鏡レンズ２０の使用者の両目に面する表面２０ａ上に均等に備え付けることで、同様に当該化学塗料の反射機能によって、後方の状況を見ることができる効果を達成することができる。また、当該化学塗料の材料の組み合わせも、一定の制限がなく、反射特性を具える物質又は化合物であればよい。
【００２３】
前述の実施例は全て当該反射レンズ又は反射塗料を通して、使用者が後方の状況を直視するための構造を示すのみであるが、この構造は現在の日常生活における最も切実な要求に対する設計であるだけであり、使用者が真後ろ以外の視角を増やしたい場合も、本考案の精神に基づいて、当該レンズの弧度の設計を変更し、当該反射レンズ又は塗料の反射から真後ろ以外の状況を見られるようにすることができる。この場合、当該使用者はその他の角度の視角を有し、且つその他の方角の見たいものを見ることができる。
【００２４】
上述の実施例は、本考案の原理及びその効果を説明するために例示したものであるだけで、本考案はこれによって制限されない。いかなる当該技術を熟知する人は、本考案の精神及び範囲を離脱しないもとで、上述の実施例に対して修飾及び変更を行うことができる。そのため、本考案の権利における保護範囲は、後述の実用新案登録請求の範囲に記されるとおりとする。
【図面の簡単な説明】
【００２５】
【図１Ａ】本考案の安全眼鏡の比較的わかりやすい実施例のイメージ図である。
【図１Ｂ】本考案の安全眼鏡の比較的わかりやすい実施例のイメージ図である。
【図２】本考案における安全眼鏡の比較的わかりやすい実施例の側面図である。
【図３】本考案における安全眼鏡の比較的わかりやすい実施例の使用状態のイメージ図である。
【図４】本考案の安全眼鏡における実施例２のイメージ図である。
【符号の説明】
【００２６】
１  眼鏡
１０  フレーム
１５  テンプル
１６ 屈折部
２０  眼鏡レンズ
２０ａ  眼鏡レンズ表面
２５  反射レンズ
４５  レンズ装置
Ｌ  反射レンズ長さ
ｔ  反射レンズ厚さ
Ｗ  反射レンズ幅
【図１Ａ】
0003102402.tif 000003
【図１Ｂ】
0003102402.tif 000004
【図２】
0003102402.tif 000005
【図３】
0003102402.tif 000006
【図４】
0003102402.tif 000007